(57)【要約】      （修正有）【課題】構造が精巧簡単で、体積が小さく、コストを大幅に削減でき、使用が非常に便利である携帯式通信装置の投影式キーボードを提供する。【解決手段】本体、電池部、連接モジュール、マイクロタイプ投影装置５、及びビデオ無線受信器を含む。本体はＨＤＭＩ（登録商標）入力孔を備える。電池部は本体内に設置する。連接モジュールは、本体に接続し尚且つ電池部と電気的に接続し、無線または有線接続方式で外部の携帯式通信装置８と通信接続する。マイクロタイプ投影装置５は上下軸が回転可能状態で本体の前側中央箇所に設置し、電池部及びＨＤＭＩ（登録商標）入力孔と電気的に接続する。ビデオ無線受信は、電池部及びマイクロタイプ投影装置５と電気的に接続する。【選択図】図１
0003189431.tif 000002
【実用新案登録請求の範囲】
【請求項１】
本体、電池部、連接モジュール、マイクロタイプ投影装置、及びビデオ無線受信器を含む携帯式通信装置の投影式キーボードであって、
前記本体は、HDMI(登録商標)入力孔を備えるものであり、
前記電池部は本体内に設置するものであり、
前記連接モジュールは、本体に接続し、尚且つ電池部と電気的に接続し、無線または有線接続方式で外部の携帯式通信装置と通信接続をするものであり、
前記マイクロタイプ投影装置は、上下軸が回転可能状態で本体の前側中央箇所に設置し、尚且つ電池部及びHDMI(登録商標)入力孔と電気的に接続するものであり、
前記ビデオ無線受信器は、電池部及びマイクロタイプ投影装置と電気的に接続するものであることを特徴とする携帯式通信装置の投影式キーボード。
【請求項２】
前記連接モジュールは、ブルートゥースモジュールまたはUSBモジュールであることを特徴とする請求項１に記載の携帯式通信装置の投影式キーボード。
【請求項３】
前記ビデオ無線受信器は本体内に内蔵することを特徴とする請求項１に記載の携帯式通信装置の投影式キーボード。
【請求項４】
前記ビデオ無線受信器は本体の外側に外付けすることを特徴とする請求項１に記載の携帯式通信装置の投影式キーボード。
【請求項５】
前記携帯式通信装置の投影式キーボードは更にHDMI(登録商標)切換装置を含み、ビデオ無線受信器及びHDMI(登録商標)入力孔はHDMI(登録商標)切換装置を介してマイクロタイプ投影装置と電気的に接続することを特徴とする請求項１に記載の携帯式通信装置の投影式キーボード。
【請求項６】
前記携帯式通信装置にはビデオ無線伝送機能を内蔵し、無線方式を使って映像データをビデオ無線受信器を介してマイクロタイプ投影装置に伝送することを特徴とする請求項３または４に記載の携帯式通信装置の投影式キーボード。
【請求項７】
前記携帯式通信装置にはビデオ無線伝送機能を内蔵せず、有線方式を使ってHDMI(登録商標)入力孔から映像データをマイクロタイプ投影装置に伝送することを特徴とする請求項３または４に記載の携帯式通信装置の投影式キーボード。
【請求項８】
前記携帯式通信装置は有線方式を使ってHDMI(登録商標)入力孔から映像データをマイクロタイプ投影装置に伝送することを特徴とする請求項５に記載の携帯式通信装置の投影式キーボード。
【請求項９】
前記携帯式通信装置は無線方式を使ってビデオ無線受信器及びHDMI(登録商標)切換装置を介して映像データをマイクロタイプ投影装置に伝送することを特徴とする請求項５に記載の携帯式通信装置の投影式キーボード。
【請求項１０】
前記ビデオ無線受信器は、ミラキャスト、エアプレイ・ドングルまたはスマート・ドングルであることを特徴とする請求項１に記載の携帯式通信装置の投影式キーボード。
【考案の詳細な説明】
【技術分野】
【０００１】
本考案は、一種のキーボードの応用分野に関し、特に携帯式通信装置の投影式キーボードに係る。
【背景技術】
【０００２】
携帯電話と投影装置は現代人が頻繁に使用するものであり、ほぼ生活に不可欠な存在となった。だが、使用者は携帯電話及び投影装置を組み合わせるなら同時に使用することができるが、投影装置が占める空間は携帯電話よりはるかに大きく、投影装置を携帯することが使用者の最大の悩みの一つとなっている。科学技術の発展に伴い、携帯電話と投影装置の二つを結合した関連研究情報も続々と伝えられている。将来の数年において携帯電話に投影装置を組み合わせて一体化した商品は恐らく想像できない事ではないと思われる。
【考案の概要】
【考案が解決しようとする課題】
【０００３】
しかし、現在携帯電話と投影装置を一体化して使用する形態は、ただ映像の伝送に限られ、使用者の映像コントロール及び使用者の動作に応じた装置は設計されていない。一般に見られるレーザーペンは案内としてだけに使用するものであり、プレゼンテーションマウスは切換だけにしか使用できない。
【０００４】
前述に鑑み、本考案者は従来技術の欠点に対して改良を加え、長年本業界に従事してきた経験をいかして本考案を生み出した。
【０００５】
本考案の提供する携帯式通信装置の投影式キーボードは、マイクロタイプ投影装置を携帯式通信装置(スマートフォン等)から有線または無線方式で受信した映像データを前方に配置した一枚のスクリーンまたは壁に直接投射するものであって、構造が精巧簡単であり、体積が小さく、従来のモニターを必要としないため、コストを大幅に削減でき、使用が非常に便利である。
【課題を解決するための手段】
【０００６】
本考案の目的は、前述した問題を解決するために携帯式通信装置の投影式キーボードを提供することにある。前記携帯式通信装置の投影式キーボードは、本体、電池部、連接モジュール、マイクロタイプ投影装置、及びビデオ無線受信器を含む。前記本体は、HDMI(登録商標)入力孔を備え、前記電池部は本体内に設置する。前記連接モジュールは、本体に接続し、尚且つ電池部と電気的に接続し、無線または有線接続方式で外部の携帯式通信装置と通信接続をする。前記マイクロタイプ投影装置は上下軸が回転可能状態で本体の前側中央箇所に設置し、尚且つ電池部及びHDMI(登録商標)入力孔と電気的に接続する。前記ビデオ無線受信器は、電池部及びマイクロタイプ投影装置と電気的に接続する。
【０００７】
前記連接モジュールは、ブルートゥースモジュールまたはUSBモジュールである。
【０００８】
前記ビデオ無線受信器は、本体内に内蔵するか、または本体の外側に外付けする。
【０００９】
前記携帯式通信装置にはビデオ無線伝送機能を内蔵し、無線方式を使って映像データをビデオ無線受信器を介してマイクロタイプ投影装置に伝送する。
【００１０】
前記携帯式通信装置にはビデオ無線伝送機能を内蔵せず、有線方式を使ってHDMI(登録商標)入力孔から映像データをマイクロタイプ投影装置に伝送する。
【００１１】
前記携帯式通信装置の投影式キーボードは更にHDMI(登録商標)切換装置を含み、ビデオ無線受信器及びHDMI(登録商標)入力孔はHDMI(登録商標)切換装置を介してマイクロタイプ投影装置と電気的に接続する。
【００１２】
前記携帯式通信装置は、有線方式を使ってHDMI(登録商標)入力孔から映像データをマイクロタイプ投影装置に伝送するか、または無線方式を使ってビデオ無線受信器及びHDMI(登録商標)切換装置を介して映像データをマイクロタイプ投影装置に伝送する。
【００１３】
前記ビデオ無線受信器は、ミラキャスト、エアプレイ・ドングルまたはスマート・ドングルである。
【考案の効果】
【００１４】
本考案の携帯式通信装置の投影式キーボードは、マイクロタイプ投影装置を携帯式通信装置(スマートフォン等)から有線または無線方式で受信した映像データを前方に配置した一枚のスクリーンまたは壁に直接投射するものであって、構造が精巧簡単であり、体積が小さく、従来のモニターを必要としないため、コストを大幅に削減でき、使用が非常に便利であるという効果を有する。
【図面の簡単な説明】
【００１５】
【図１】本考案の携帯式通信装置の投影式キーボードの外観図である。
【図２】本考案の携帯式通信装置の投影式キーボードの無線伝送状態と白紙上に投影した状態を示した図である。
【図３】本考案の携帯式通信装置の投影式キーボードを示した第一実施例のブロック図である。
【図４】本考案の携帯式通信装置の投影式キーボードを示した第二実施例のブロック図である。
【考案を実施するための形態】
【００１６】
本考案の前述した目的及び長所については、下記に選択した実施例の詳細説明と添付の図面から理解することができる。
【００１７】
当然ながら、本考案はある部材上または部材の配置上で異なるものを許容するが、選択した実施例については、本説明書の中で詳細説明を行ない、並びにその構造は図面に示す通りとする。
【００１８】
本考案は前述目的の技術手段に関するものであり、実施形態は図面を参照として下記の通り詳細説明する。これにより深く理解し認めて頂けることと思う。
【実施例】
【００１９】
図１に示した図は本考案の携帯式通信装置の投影式キーボードの外観図であり、図２には本考案の携帯式通信装置の投影式キーボードの無線伝送状態と白紙上に投影した状態を示した図である。図３は本考案携帯式通信装置の投影式キーボードを示した第一実施例のブロック図である。図４は本考案携帯式通信装置の投影式キーボードを示した第二実施例のブロック図である。
【００２０】
本考案の携帯式通信装置の投影式キーボード1は本体2、電池部3、連接モジュール、マイクロタイプ投影装置5、及びビデオ無線受信器6を含む。
【００２１】
本体2はHDMI(登録商標)入力孔21と映像入力孔22を備え、前記映像入力孔22はマイクロタイプ投影装置5と電気的に接続する。
【００２２】
電池部3は本体2内に設置する。
【００２３】
連接モジュールは本体2に接続し、尚且つ電池部3と電気的に接続し、無線ブルートゥース通信方式(即ち連接モジュールはブルートゥースモジュール4である)または有線接続方式(即ち連接モジュールはUSBモジュール40である)で外部の携帯式通信装置8と通信接続をする。また、携帯式通信装置8はスマートフォンとしてもよいが、これに限定されないものとする。
【００２４】
マイクロタイプ投影装置5は上下軸が回転可能状態で本体2前側中央箇所に設置し、尚且つ電池部3及びHDMI(登録商標)入力孔21と電気的に接続する。
【００２５】
ビデオ無線受信器6はミラキャスト、エアプレイ・ドングルまたはスマート・ドングル等とするが、これに限定されないものとする。ビデオ無線受信器6は電池部3及びマイクロタイプ投影装置5と電気的に接続する。即ち、ビデオ無線受信器6は本体2内に内蔵するか、または本体2の外側に外付けする。
【００２６】
また、本考案の携帯式通信装置の投影式キーボード1は更にHDMI(登録商標)切換装置7、ビデオ無線受信器6、及びHDMI(登録商標)入力孔21を含み、HDMI(登録商標)切換装置7を介してマイクロタイプ投影装置5と電気的に接続する。
【００２７】
よって、携帯式通信装置8にビデオ無線伝送機能を内蔵した場合は、無線方式(WiFi等)を使って映像データをビデオ無線受信器6を介してマイクロタイプ投影装置5に伝送する。
【００２８】
携帯式通信装置8にビデオ無線伝送機能を内蔵していない場合は、有線方式(USB等)を使ってHDMI(登録商標)入力孔21から映像データをマイクロタイプ投影装置5に伝送する。
【００２９】
マイクロタイプ投影装置5は受信した映像データを前方の一枚のスクリーン9上または直接壁に投射することができ、構造が精巧で簡単、体積が小さく、しかも従来のモニターを必要とせず、コストを大幅に削減でき、使用も非常に便利である。
【００３０】
前述した実施形態は本考案を説明するために用いたものであり、本考案に制約を加えるものではない。よって、全ての数値の変化または同等効果を有する部材の置き換えは本考案の範囲に含まれるものとする。
【００３１】
以上の詳細説明により、本技術に熟知する技術者は本考案を理解し前述目的を確実に達成できる。よって、実用新案法の規定に符合するものとして、ここに実用新案を出願する。
【符号の説明】
【００３２】
1      携帯式通信装置の投影式キーボード
2      本体
21     HDMI(登録商標)入力孔
22     映像入力孔
3      電池部
4      ブルートゥースモジュール
40     USBモジュール
5      マイクロタイプ投影装置
6      ビデオ無線受信器
7      HDMI(登録商標)切換装置
8      携帯式通信装置
9      スクリーン
【図１】
0003189431.tif 000003
【図２】
0003189431.tif 000004
【図３】
0003189431.tif 000005
【図４】
0003189431.tif 000006